(57)【特許請求の範囲】
【請求項１】
静止誘導電器の周囲を覆う方形の遮音パネルと、前記静止誘導電器から発生する音を電気信号に変換して出力する集音器と、この集音器からの出力信号を極性反転して出力する制御器と、この制御器からの出力信号を受けるとともに前記遮音パネルの表面に接して配され、前記制御器からの出力信号に比例する機械的振動を前記遮音パネルに加える加振器とにより構成されてなる静止誘導電器の遮音装置において、前記加振器が、前記遮音パネルの対角線上で中央部からずらせた１箇所の位置に配されてなることを特徴とする静止誘導電器の遮音装置。
【請求項２】
請求項１に記載の静止誘導電器の遮音装置において、前記加振器が、前記遮音パネルの対角上における中央点と角部との間の中点の位置に配されてなることを特徴とする静止誘導電器の遮音装置。
【発明の詳細な説明】
【０００１】
【発明の属する技術分野】
この発明は、変圧器などの静止誘導電器から発生する騒音が周囲に及ぶのを防ぐ装置に関する。
【０００２】
【従来の技術】
図２は、従来の静止誘導電器の遮音装置の構成を示す斜視図である。従来の遮音装置は、方形の遮音パネル１と、音を電気信号に変換して出力する集音器４と、集音器４からの出力信号を極性反転して出力する制御器３と、制御器３からの出力信号を受けるとともに遮音パネル１の中央表面に接して配され、制御器３からの出力信号に比例する機械的振動を発生する加振器２により構成されている。図２の左端に図示されていない静止誘導電器が配されている。その静止誘導電器は複数枚の遮音パネル１でもって覆われている。ただし、図２には、その複数枚の遮音パネル１の内の１枚だけが示されている。
【０００３】
図２において、静止誘導電器からの騒音６を遮音パネル１を介して集音器４が受けると、集音器４が騒音６を電気信号に変換して制御器３に出力する。制御器３は集音器４からの電気信号を極性反転して加振器２に出力する。加振器２は制御器３からの電気信号に比例して機械的振動を発生し、遮音パネル１を振動させる。そのために、騒音６が遮音パネル１を左側から振動させようとしても、右側から加振器２が逆方向に振動させようとする。したがって、遮音パネル１が機械的に振動し難くなり、騒音６が遮音パネル１から右側へは伝わり難くなる。それによって、静止誘導電器からの騒音６が周囲に及ぶのを防ぐことができる。
【０００４】
【発明が解決しようとする課題】
しかしながら、前述したような従来の静止誘導電器の遮音装置は、騒音の周波数によっては遮音が困難であるという問題があった。
すなわち、静止誘導電器から発生する騒音は、励磁電圧の周波数の倍長波の成分が大部分である。例えば、励磁電圧の周波数が５０Ｈｚの場合の倍長波は、１００Ｈｚ、２００Ｈｚ、・・・であり、周波数が低いほどその波高値が高くなる。したがって、この倍長波の成分を出来るだけ遮音することが要求されている。従来の遮音装置では、１００Ｈｚの周波数の騒音は充分にその遮音効果があるが、２００Ｈｚの場合は遮音が困難であり、充分にその要求が満たされていなかった。
【０００５】
この発明の目的は、１００Ｈｚ、２００Ｈｚの騒音の遮音特性をともに良好にすることにある。
【０００６】
【課題を解決するための手段】
上記目的を達成するために、この発明によれば、静止誘導電器の周囲を覆う方形の遮音パネルと、前記静止誘導電器から発生する音を電気信号に変換して出力する集音器と、この集音器からの出力信号を極性反転して出力する制御器と、この制御器からの出力信号を受けるとともに前記遮音パネルの表面に接して配され、前記制御器からの出力信号に比例する機械的振動を前記遮音パネルに加える加振器とにより構成されてなる静止誘導電器の遮音装置において、前記加振器が、前記遮音パネルの対角線上で中央部からずらせた１箇所の位置に配されてなるようにするとよい。それによって、１００Ｈｚの騒音だけでなく、２００Ｈｚの騒音も充分に減衰するようになり、１００Ｈｚ、２００Ｈｚの騒音の遮音特性をともに良好にすることができる。
【０００７】
薄板状の遮音パネルに加振器を設置した構成により騒音を低減させる場合、低減させたい周波数での薄板の振動モードの腹に加振器を設置すれば、最も効果的に騒音を低減させることができる。したがって、遮音パネルの大きさによるが、１００Ｈｚの騒音による遮音パネルの振動モードが、遮音パネルの中心が節ではなく最大振幅点となる１次モードである場合、最大振幅点である遮音パネルに中心に加振器を設置したときに１００Ｈｚの騒音の減衰量は大きくなる。しかしながら、２００Ｈｚの騒音による遮音パネルの振動モードは、上記の１００Ｈｚの騒音の場合と異なり、２次モードあるいはそれ以上の次数の振動モードとなるため、遮音パネルの中心が振幅の腹になるとは限らず，節となる場合もあり、節となる遮音パネルの中心に加振器を設置しても２００Ｈｚの騒音の遮音効果はほとんどない。
【０００８】
これに対して、遮音パネルの中心からずらした位置に加振器を設置すれば、２００Ｈｚの騒音による遮音パネルの振動モードの節が遮音パネルの中心に位置するような場合でも、加振器の位置が節からずれているため、２００Ｈｚの騒音も充分に減衰するようになる。また、この場合、加振器の位置は、１００Ｈｚの騒音による遮音パネルの振動モードの最大振幅点である中心からずれているのであるが、遮音パネルの端部，すなわち，節の位置ではなく、節と最大振幅点との中間の位置に位置することになるので、１００Ｈｚの騒音に対しても、従来のように遮音パネルの中心に加振器を設置した場合の遮音特性に対してそれほど遜色のない良好な遮音特性が得られる。
【０００９】
このように、１００Ｈｚ，２００Ｈｚという複数の周波数の騒音を両方とも効果的に低減するためには、遮音パネルの中心からずらした位置に加振器を設置することが有効であり、また、遮音パネルの対称性からは、遮音パネルの対角線上に配置することが適当であるので、遮音パネルの対角線上で中心からずらした位置に加振器を設置する構成は、１００Ｈｚ，２００Ｈｚの騒音の遮音特性をともに良好なものとするために好適である。
そして、上記構成において、前記加振器が、前記遮音パネルの対角上における中央点と角部との間の中点の位置に配されてなるものとする。
【００１０】
【発明の実施の形態】
以下、この発明を実施例に基づいて説明する。図１は、この発明の実施例にかかる静止誘導電器の遮音装置の構成を示す斜視図である。加振器２が、遮音パネル１の中央部からずらせて配されるとともに、遮音パネル１の対角線５上の位置に配されている。図１のその他は、図２の従来の構成と同じであり、従来と同じ部分は同一参照符号を付けることによって詳細な説明は省略する。
次の表１には、図１，図２における騒音の減衰量が調べられた結果が示されている。
【００１１】
【表１】
0004427893.tif 000002
表１に示される，騒音の各周波数での減衰量は、１辺５００ｍｍ，厚さ２．３ｍｍの正方形の鉄板製の遮音パネルを用いて測定したものである。また、従来の構成に対する加振器２の位置は図２のように遮音パネル１の２つの対角線が交叉する中央点とするとともに、この発明の構成に対応する加振器２の位置は図１のように遮音パネル１の対角線５上の前記中央点と角部との間の中点としている。
【００１２】
表１において、図２の従来の場合、１００Ｈｚの騒音の減衰量は１６ｄＢと良好であるが、騒音の周波数が２００Ｈｚの場合は、その、減衰量が−９ｄＢとなり、かえって騒音が増加している。一方、図１の実施例の場合は、１００Ｈｚの騒音も２００Ｈｚの騒音もともにその減衰量が良好である。
なお、加振器２の位置が遮音パネル１の対角線上にあっても、遮音パネル１の角部の近傍では、角部が固定点であるため加振しても効果は少ない。
【００１３】
また、遮音パネル１の大きさを大きくすると、同じモードの固有振動周波数は低くなることから、１００Ｈｚの振動モードも１次モードではなくなり、図２の従来のような、遮音パネル１の中央に加振器２を設置した構成では、１００Ｈｚの騒音に対しても遮音効果が小さくなり、図１の実施例のような、遮音パネル１の対角線上で中央部からずらした位置に設置した構成の方が１００Ｈｚの騒音に対しても遮音効果が大きくなる。
【００１４】
なお、上述の図１の構成では、遮音パネル１の形状を正方形としたが、本発明における遮音パネル１の形状は正方形に限定されるものではなく、例えば長方形であってもよい。
【００１５】
【発明の効果】
この発明は前述のように、加振器が、遮音パネルの中央部からずらせて配されるとともに遮音パネルの対角線上の位置に配されてなるようにすることによって、２００Ｈｚの騒音も充分に減衰し、静止誘導電器周囲の環境を良好にすることができる。
【図面の簡単な説明】
【図１】この発明の実施例にかかる静止誘導電器の遮音装置の構成を示す斜視図
【図２】従来の静止誘導電器の遮音装置の構成を示す斜視図
【符号の説明】
１：遮音パネル、２：加振器、３：制御器、４：集音器、５：対角線、６：騒音
【図１】
0004427893.tif 000003
【図２】
0004427893.tif 000004